(57)【特許請求の範囲】
【請求項１】
制御ユニット（９）と、情報媒体（１）に格納された情報の読出しの中断中に情報媒体（１）からの情報信号を提供するバッファと、情報媒体から読出した情報を処理するビットタイミングＰＬＬ（５）と、サブコード符号化器（７）と、マイクロプロセッサ（１３）とを有する改良された同期を有する耐震性再生装置において、
前記制御ユニットは中断前の最後の有効なサブコード情報とバッファのアドレスを蓄積し、
この有効なサブコード情報は走査及び読出しユニットを中断前の情報媒体（１）の位置にもどし、そして、中断後に情報媒体（１）からバッファ（８）の中に読取られた情報信号を中断前のバッファに蓄積されたいくつかのサブコードの同期バイト（Ｓ０）を使用して同期化するための基準として使用され、
バッファ（８）におけるサブコードの同期バイトの位置は、情報媒体の上で新たに読出されたサブコード情報と基準として前記制御ユニットに蓄積されたサブコード情報の間のバイトの数により計算される、同期を有する耐震性再生装置。
【請求項２】
前記制御ユニット（９）は同期バイト（Ｓ０）の端により開始され、データストローブ(Data Strobe)によりクロックされる第１のカウンタ（Ｚ１）を有し、
該第１のカウンタのキャリー出力(Carry)は第２のカウンタ（Ｚ２）のクロック入力(Clock)に接続され、該第２のカウンタは該第２のカウンタに接続されたレジスタ（Ｒ１）により提供される書込みポインタアドレスによりセット及びリセットされ、
第１及び第２のカウンタ（Ｚ１，Ｚ２）の出力は接続されて書込みポインタ接続を形成し、該書込みポインタ接続に前記レジスタ（Ｒ１）が接続される、請求項１記載の耐震性再生装置。
【請求項３】
前記制御ユニット（９）により、情報媒体（１）に蓄積された情報の読出し速度が第１読出し速度（Ｖ１）と第２読出し速度（Ｖ２）の間で、ビットタイミングＰＬＬ（５）の捕捉範囲内で、バッファ（８）の所定のレベルに対応して、連続的に変化する、請求項１記載の同期を有する耐震性再生装置。
【請求項４】
前記制御ユニット（９）は、情報媒体（１）から読出される情報信号を提供するためのデコーダ（１１）の集積化された一部として設計される、請求項１記載の耐震性再生装置。
【請求項５】
バッファ（８）は情報媒体（１）から読出された信号のパルス整形（４）と誤り訂正のための第２集合体（１０）の間にもうけられる、請求項１記載の耐震性再生装置。
【請求項６】
バッファ（８）の中で最後に有効なデータのアドレスが、情報媒体（１）の中断の位置、及びバッファ（８）の中の最後の有効なデータの基準として用いられ、バッファ（８）の中に連続的な可変速度で既に蓄積された情報を重ね書きする、請求項１記載の耐震性再生装置。
【請求項７】
バッファ（８）の中で最後に有効なデータのアドレスが、レジスタ（Ｒ１）に転送され、最後に有効なサブコードの同期バイトと共に、中断後の同期化のための基準として用いられる、請求項１記載の耐震性再生装置。
【請求項８】
マイクロプロセッサ（１３）によりバッファ（８）のアドレスがバッファ（８）の中の同期バイト（Ｓ０）のアドレスから計算され、最後に有効なサブコードと共にレジスタに転送されて情報媒体（１）からの読出しの中断を検出し、前記バッファのアドレスは中断前のバッファ（８）の最後に有効なアドレスの前のアドレスに対応し、前記中断の後、バッファ（８）への計算されたアドレスでのデータの書込みは、バッファ（８）の中の情報媒体（１）から読出された情報の同期のために計算されたアドレスに対応する同期バイトと共に継続する、請求項１に記載の耐震性再生装置。
【請求項９】
バッファ（８）のメモリー容量以下の所定のレベルに対応して、制御ユニット（９）により、第１読出し速度（Ｖ１）と第２読出し速度（Ｖ２）の間で、情報媒体（１）に蓄積された情報の連続的な可変読出し速度が調節される、請求項１記載の耐震性再生装置。
【請求項１０】
情報媒体（１）から読出される情報のサブコード情報の同期バイトの、バッファ（８）に蓄積される情報に対応する、アドレスが、データのバッファ（８）への書込みの中断後に、バッファ（８）の中のデータを同期させるために使用される、請求項１記載の耐震性再生装置。
【請求項１１】
マイクロプロセッサ（１３）がデコーダ（１１）とバッファ（８）に接続され、最後に有効なサブコード情報がマイクロプロセッサ（１３）により制御されバッファの中のデータストリームの同期が中断後の同期バイトにより開始する場合にバッファ（８）のアドレスを蓄積するためにサブコードデコーダ（７）と制御ユニット（９）からのサブコード情報アドレスデータを計算する手段をふくみ、前記制御ユニット（９）はデータインパルスによりクロックされる同期バイトの端によりスタートする第１カウンタ（Ｚ１）をふくみ、第２カウンタ（Ｚ２）がもうけられ、該第２カウンタのクロック入力は第１カウンタのキャリー出力に接続され、バッファ（８）のアドレスによりリセット又はあらかじめ定められるアドレスに調節されることができ、該アドレスは第１カウンタ（Ｚ１）に接続されるレジスタ（Ｒ１）を介して提供されてバッファ（８）にアドレスを提供する、請求項１記載の耐震性再生装置。
【請求項１２】
情報媒体（１）から読出された情報信号の同期は、中断時のバッファのアドレスと独立の位置で、制御ユニットにより行われ、中断前の最後の有効なサブコード情報の同期バイト（Ｓ０）に先行する同期バイト（Ｓ０）が、サブコード情報の蓄積及びバッファ（８）のアドレスの決定のために使用されて、同期のために使用される、請求項１記載の耐震性再生装置。
【請求項１３】
制御ユニット（９）により、情報媒体（１）からの情報信号のバッファ（８）への書込みが中断後にバッファ（８）のアドレス設定が行われて、情報媒体（１）から読出されるバッファ（８）の情報の同期が行われ、前記アドレスで情報信号の中断前の位置とは独立の同期バイト（Ｓ０）により情報信号がバッファ（８）に書込まれる、請求項１記載の耐震性再生装置。
【請求項１４】
情報媒体（１）から読取られた情報を同期バイトによりバッファ（８）に書込まれた情報のバッファ（８）における位置と同期させるために、制御ユニット（９）は、中断後に情報媒体（１）からの情報信号のバッファ（８）への書込みを続け、バッファ（８）のアドレスを中断前の蓄積された最後に有効なサブコード情報に関するバイトの差に対応させる請求項１記載の耐震性再生装置。
【請求項１５】
制御ユニット（９）は
各同期バイト（Ｓ０）によりバッファ（８）のアドレスへの情報信号の書込みを開始し、
次の同期バイト（Ｓ０）の発生まで有効なサブコード情報を蓄積し、
情報媒体の読取りの中断後のバッファ（８）への情報信号の書込みのアドレスを提供し、該アドレスはバッファ（８）のアドレスに同期バイト（Ｓ０）の後に発生するアドレスをロードすることにより形成され、
該アドレスは、最後に有効なサブコードと中断後の現在のサブコードの間のバイト数に対応する情報信号のバイトを蓄積するために提供され、情報媒体（１）に蓄積された情報の読取りの中断の位置決めの前に、提供される、請求項１記載の耐震性再生装置。
【発明の詳細な説明】
【０００１】
【発明の属する技術分野】
本発明は改良された同期を有する耐震性再生装置の構成及び方法に関する。耐震性再生装置の技術分野は、振動があるにもかかわらず、特に妨害されないで確実に再生される光情報媒体の再生装置を携帯及び移動しながら使用することに提供される。しかし、当該適応の分野は光情報媒体に限定されるものではない。
【０００２】
【従来の技術】
光スキャナシステムは振動によってトラックから縦揺れを生じるので光スキャナ装置は機械的な振動に敏感であり、その結果情報媒体上に格納された情報の読取り動作が中断される。静止したときの動作中において、これらの振動は小さいので機械的な予防措置及び電気的な制御ループによって十分に制動される。しかし、移動時の使用の場合、例えば車での使用、あるいは携帯用の装置の場合、前述の手段はもはや十分でなく、情報媒体の読取りが中断される間再生のためのデータの流れを緩衝するバッファが使用される。このタイプのバッファはＳＯＮＹ社製（ＣＤプレーヤにおける振動防止メモリ制御装置）からのＣＸＤ２５１１Ｑ／Ｒというデータシートとして知られている。
【０００３】
データリザーブを供給するために、データは２倍のスピードでＣＤから読取られてバッファに格納される。同時に、データは再生のためにバッファから通常のスピードで読出される。バッファのオーバーフローを防ぐために、情報媒体の読取り又はバッファへのデータの書込みは連続的に中断する必要があり、かつ読取り動作はバッファの占有が最小占有未満になった後に再開する必要がある。この目的のために、スキャニング又は読取りシステムは中断位置に戻って情報媒体の読み取りを連続的に再開しなければならない。この一連の事象は振動がなくても絶え間なく続けられる。その結果、スキャニング又は読取りシステムの多数回のリセットが振動のない動作でも必要である。もし読取り中止中に振動が生じたのならば、特別な手段は必要でない。
【０００４】
しかしながら、もし振動が読取り動作中に生じるならば、バッファへの充填はすぐに中止されなければならず、かつ情報媒体又はＣＤから新規なデータを読出すためにスキャナシステムは読取り動作が中断された位置にできるだけ早く速やかに戻されなければならない。この動作の成功的な結果に続いてバッファへの充填は再開される。その結果として、２倍のスピードで実行される読取り動作がバッファが満杯であるときに中断されなければならないので、ＣＤの読取りの中断の位置へのスキャナ装置のジャンプ又はリセットは、振動が生じるときだけでなく、動作の耐震モードで振動が生じないときにも必要である。
【０００５】
情報媒体上にある順序に従って中断に続いてバッファに情報媒体からデータを書込むために、ＣＤの読出しはマイクロプロセッサによって有効として評価された最後のサブコードアドレスより前のデータを使用して再開され、バッファに書込みを開始するために、あるいは継続的な正しい再開のために、格納された及び読出しオーディオデータの間の比較が実行される。正しい結果の場合に、バッファへの書込みの再開を制御するこのオーディオデータの比較は、復号化及び誤り訂正後でディジタル／アナログ変換の直前に実行される。バッファは復号化器のデインターリーブ及び誤り訂正ユニットに接続され、ディジタル／アナログ変換器の直前に配置されている。
【０００６】
【発明が解決しようとする課題】
振動が生じていないときの比較的に多数の復帰の他に、この解決方法の課題はバッファへの書込み動作を開始するためのデータの同期の信頼性である。周知の解決方法の場合に、バッファへの書込みの中断の次の同期の目的はバッファにすでに格納されたデータと同じ位置を比較によって所定の量のデータを使用することによって見つけることにある。誤りのために、データビットは必ずしも同じように現れず、かつ正確な時に現れないので、オーディオデータの比較による同期は必ずしも成功しない。誤り率によっては、情報媒体上の同じ位置から同じデータを得ることは必ずしもできない。また、０のみが比較され、あるいは例えば特別な周波数で正弦波信号音のような多重繰返しを含むような大変ソフトな経過を比較するときは経時的なオフセットが生じる。
【０００７】
中断と関連して頻繁に実行されるデータの比較は、正確な同期の瞬間の決定を保証せず、オーディオデータの飛び越しに導き、かつその結果としてタイトル又はディスク時間の経時的な飛び越しによって、格納された情報に相当する正確な時間の再生が確実に行われない。
【０００８】
それで、対応をもたらすために、ステップ状の正確さの比較又は複数のステージの比較が周知の解決方法で実行されている。比較の正確さ及び長さは比較中の耐性に従って変化する。これはオーディオデータでの飛び越しの結果となり、格納された情報に相当する時間の再生を確実にしない。多かれ少なかれ正確な同期はディジタル／アナログ変換器の上流に配置されたバッファで実行され、その結果間違った同期が可聴な妨害を生じる。
【０００９】
さらに、ＤＲＡＭがデータ比較のためにバッファとして供給されなければならないし、ＤＲＡＭはかなりのコストを示す。
【００１０】
よって、本発明の目的は、特に同期の正確さ及び信頼性を改善すること及び周知の解決方法の前記欠点を解決することである。
【００１１】
この目的は特許請求の範囲記載の主発明の構成によって達成される。有効な改善及び発展した内容は従属項に明記されている。
【００１２】
【課題を解決するための手段】
データの流れでのサブコードデータは比較的大きな間隔でしか現れないが、確実な及び有効な同期、及び情報媒体上に格納された情報に相当する連続なデータの流れが、中断の位置を決定するアドレス情報を利用することによりバッファの中で達成される。同期の開始ポイントは有効なサブコードによって形成され、そのアドレス情報は情報媒体の中断の位置と、バッファの最後の有効なデータとバッファへの書込みの位置決めの基準として使用される。バッファ及び情報媒体上の中断の位置を示すアドレスを使用し、中断後の同期とバッファへの書込みは中断のアドレスより前のアドレスに対してさえ実行され得る。なぜなら新しく読出されるアドレスと中断の格納されたアドレスの間の間隔が算出されるからである。このとき、該アドレスに続くデータは重ね書きされ、従って同期が短い時間で行われる。このために、バッファは誤り訂正及びデインターリーブユニットの上流に配置されている。データ比較は実行されていないし、にもかかわらず、ビットタイミングＰＬＬの捕捉レンジ内で変化する読出し速度に対し有効なデータ流れが確実に得られる。特にバッファは同時に時間ベース補償ユニットとして動作し、データはバッファから一定の速度で読出される。
【００１３】
サブコード情報の同期ビットの使用の結果として、サブコード情報のアドレスは基本的に格納される。一方、周知の解決手段ではバッファへの読出しデータの書込みは振動、トラック飛び越しあるいは読出し速度の変化中に中断されてはならない。中断が生じたときの最後の有効な同期バイトのアドレスが知られているので、有効な同期を確実にする。なぜならバッファのアドレス又は書込みポインタが同期のために又は情報媒体上に格納された情報に従って正確なデータの流れのために使用されるからである。同期位置は最後の有効な同期バイト又は最後の有効なアドレスである必要はない。なぜなら最後の有効なアドレスからスタートして、ディジタルデータ構成のフレーム構成により不規則性の発生より前のバッファのアドレスの算出が可能であるからである。
【００１４】
選択された同期位置でスタートして、これに続くバッファにすでに格納された全てのデータは重ね書きされる。低い価格にもかかわらず高い正確さ及び信頼性がこの同期によって達成される。なぜなら、対応する制御ユニットは２つのカウンタとひとつのレジスタのみを使用して達成され得るからである。ＥＦＭ復調器及びディジタル再生情報を供給するデインターリーブ誤り訂正ユニットの間へのバッファ配置によって、ＤＲＡＭより高くないＡＲＡＭをバッファとして使用することができる。部分的に不完全なＡＲＡＭ又はオーディオＲＡＭの使用は、誤り訂正の前への配置によって可能となる。
【００１５】
正確な同期がビットタイミングＰＬＬの捕捉レンジ内で読出し速度が変動する場合にも確実にされることはすでに言及された。この特徴は中断をまたいでバッファにリザーブするデータを供給するための変更されたシーケンスと関係して重要である。その特徴はバッファを充填するためのみの特別な振動保護なしで読出し速度が通常の速度を越えて増加することである。この場合、２倍の速度でバッファに書込むことよって生じるスキャナ装置の頻繁なリセットを避け、振動又はいわゆる衝撃のためには不要なバッファへの書込みの中断を避けるために、読み取り速度をバッファの所定の占有の関数として増加又は減少させる。その結果、電力浪費及び必要な同期動作の数が減少する。
【００１６】
更なる特徴は再生においてデータを急速に利用できることで、該急速利用は通常の速度に達すると利用できる。前述の説明は情報媒体としてのＣＤに関しているが発明の分野はそれに限定されず、全てのディジタルラッチ及び例えばディジタルビデオディスク又はディジタルテープを含む情報媒体は比較的に類似したデータ構成を有し、本発明を適用することができる。
【００１７】
【発明の実施の形態】
図面において対応する参照符号は同じ構成要素を示す。
【００１８】
情報媒体１からの読取り動作の中断をなくすために、図３による周知の耐震性録音再生装置には、誤り訂正デインターリーブユニット１０を含む復号化器１５に接続されているバッファ１６がある。バッファ１６は再生装置１４に接続され、耐震性録音再生装置に接続されたディジタル／アナログ変換器１２の直前に配置されており、マイクロプロセッサ１３に接続されている制御ユニット１７に接続されている。振動により情報媒体１からの読取り動作が中断した時でも情報の妨害と中断を受けない再生を行うため、情報媒体１からの読取りデータは２倍の速度でバッファ１６に書込まれ、通常の速度で読出される。
【００１９】
この結果、情報媒体１からの読取り動作の中断を簡単になくすためにバッファ１６に適当な量のデータが常にあり、更にバッファ１６はバッファ１６を空にする読取り動作の中断の後、再度データで充填され、他の中断に対し準備する。情報媒体１は２倍の速度で読取りを行うために回転速度の２倍で動作しＣＬＶサーボ６に接続されたモータ３によって駆動される。ＣＬＶサーボ６はほぼ一定の読取り速度を得るために、走査半径の関数として、周知の再生装置の場合原理的に２倍であるモータ３の回転速度を変化するために使用される。回転速度のこの変化は従来の一定の読取り速度に対するものの範囲内で行われる。
【００２０】
情報媒体１上に格納される情報はスキャナ装置２を形成するピックアップにより検出され、パルス成形及びＥＦＭ復調ユニット４に送られる。パルス成形及びＥＦＭ復調ユニット４を使用することにより、特に情報媒体１から到達し未だ丸みのあるディジタル信号はほぼ完全なディジタル信号に変換され、情報を処理するため必要なタイミングが発生される。この場合、ＥＦＭ（８−１４変調）が与えられ、個別のビットが可能な状態の間で停止しない緩やかな経過又は途切れがある場合でも確実にタイミングが復元される。いわゆる、ビットタイミングＰＬＬ５は特にこの目的のため使用されている。
【００２１】
更に復号化器１５の中にはサブコード内に含まれる補助の情報を復号するサブコード復号化器７と誤り訂正及びデインターリーブユニット１０が与えられて、これによりＣＤプレーヤの場合ディジタルオーディオ信号が与えられる。図３による周知の耐震性再生装置の場合、ＤＲＡＭとして設計されたバッファ１６はこの誤り訂正及びデインターリーブユニット１０の下流に接続されている。情報媒体１からの情報の読取りの中断をふせぐためにバッファ１６に格納されたオーディオデータはディジタル／アナログ変換器１２を介して再生装置１４に送出される。
【００２２】
衝撃プルーフメモリ制御器ともいわれ、再生装置の制御及びデータ評価を行うマイクロプロセッサ１３に接続された制御回路１７が、バッファ１６を組織化するために、つまりデータをバッファ１６に書込み及びバッファ１６から読出すために提供される。周知の方法を用いて、振動により情報媒体１からの情報の読出しに中断があるまで、又はバッファ１６の最大占有に到達するまで、オーディオデータはバッファ１６に書込まれる。中断の後に、スキャナ装置２は最後の正確なサブコードアドレスに対応するスキャニング位置にリセットされ、情報媒体１の読出しが再開される。
【００２３】
しかし、誤り訂正とデインターリーブを行った後にはスキャナされた値はバッファ１６で正確に存在せず、かつ中断のアドレスを示す情報がないので、新しく読出されたオーディオデータとバッファ１６にあるオーディオデータとの間の比較が一致するまで行われる。バッファへの書込みの中断に続いての同期は所定の量又は長さのデータを使用することによって、バッファでの比較によって行われ、バッファにすでに格納されたデータの位置が見出される。オーディオデータの比較に基づく同期は必ずしも成功しない。なぜなら誤りによりデータビットはいつも同じように正確な時刻には現れないからである。
【００２４】
誤り率によっては情報媒体上の同じ位置から同じデータを取り出すことはできない。この理由のために、もし可能ならば複数のステージでの比較又はステップされた正確性の比較が対応をもたらすために行われる。このために、正確さ及び比較の長さが比較の許容のために可変される。正確な対応が確立された時バッファ１６への読出しデータの書込みが再開される。しかしながら、ソフトな情報部分の区間、高い誤り率による無音、または同じ情報内容を有する繰り返しの場合には、比較結果は異なる位置に対応する結果となり、対応は情報媒体１上に格納された情報のシーケンスに一致しない。
【００２５】
図１、図２及び図４の方法及び構成は、周知の耐震性再生装置に比較してかなり変更されている。改良された同期を有する耐震性再生装置の基本的な特徴は、間隔のあいたデータのみを使用して高い信頼性及び絶対的な正確さでかつバッファ８又は１６への書込みの中断の必要のない同期が、少ないコストで実行されることである。データを緩衝するためのバッファ８又は１６に格納されるデータのアドレスは通常、並列に格納されず、従って、利用可能ではないが、アドレス情報は同期のために使用される。ディジタルデータの有効性のチェックが基本的にいわゆるＣＩＲＣチェックによって実行されるのでこれは可能である。ＣＩＲＣチェックはＳＯＮＹ社によって開発された誤り訂正コードである。ＣＩＲＣはCross Interleave Reed Solomon Codeの略語である。そのＣＩＲＣチェックと関係して、マイクロプロセッサ１３は常にサブコード復号化器７によって復号化された同期バイトＳ０の開始アドレスを評価する。
【００２６】
データのアドレスはバッファ８又は１６に並列に格納されないが、バッファ８で同期に対して用いられるアドレス情報は同期バイトＳ０を介して間接的に利用可能である。この同期の開始点は有効なサブコードによって形成され、そのアドレス情報は情報媒体１上の中断の位置及びバッファ８での最後の有効なデータとバッファ８への書込みにおける基準として使用され得る。有効なサブコードが生じると、つまり、ＣＩＲＣチェックが誤りを信号しないと、サブコードを評価するマイクロプロセッサ１３は制御ユニット９に対して、最後のサブコードは有効であるという情報をわたす。同期バイトＳ０，Ｓ１のアドレスであるサブコードの最初のアドレスは常に制御ユニット９に格納される。その結果として、情報媒体１から読出したデータの位置が決定される。制御ユニット９が有効なサブコードの存在に関する情報を受信した後、そのアドレスは好ましくは制御ユニット９のレジスタＲ１に格納される。この格納された値は振動が生じた時の基準を形成する。
【００２７】
振動又は衝撃が生じると、制御ユニット９の最後の有効なアドレスが格納される。その結果として、中断が起った情報媒体１上のポイントに関する情報及びバッファ８に書込まれ未だ有効なアドレスに関する情報が存在する。衝撃による中断の後、スキャニング又は読出しユニットは中断前の情報媒体１上の位置に戻される。この位置は最後の有効な位置又は中断前の複数のサブコードだけ前のポイントの位置である。
【００２８】
もしスキャナ装置２が例えば中断前の５つのサブコードの前の位置にガイドされるならば、衝撃は５つのサブコードの後に起ったことが知られ、その衝撃のアドレスは制御ユニット９の記憶装置によって知られる。このアドレスから出発して、バックしたアドレス、この実施例では、サブコードの間のバイトの数の５倍だけバックした位置のアドレスが計算される。その結果、先行のバッファの内容を重ね書きするバッファ８の位置が決定される。
【００２９】
一方、衝撃が生じたときのサブコードに移動し、格納されたアドレスで開始することができる。更新書込みはいつも同期バイトＳ０，Ｓ１で開始する。その後、他の有効なデータが存在してもである。絶対アドレスに対するこの同期は同期を確実にし、その結果、経時的なオフセットが原理的に除外される。
【００３０】
情報媒体１及びバッファ８の中断の位置を決定するアドレスを使用して、新しく読出されるアドレスと中断の格納されたアドレスの間の差が算出され得るので、中断に続く同期とバッファ８への書込みのために中断の前のアドレスを実行することも可能である。そのとき、アドレスに続くデータは重ね書きされて、同期するための時間が短縮される。図３の誤り訂正ユニット１０の下流に配置されたバッファ１６に関してこの種の同期を実現するには、同期バイトＳ０，Ｓ１とサブコードの間の時間的な間隔を知ることが必要である。
【００３１】
図１による誤り訂正ユニット１０の上流に配置されたバッファ８を使用する同期が以下に詳細に説明される。
【００３２】
この方法は、バッファ８とマイクロプロセッサ１３に接続されて図１に示された制御ユニット９の図２のブロック図で示す回路構成を使用して達成される。図２による回路構成は少なくとも第１のカウンタＺ１，第２のカウンタＺ２及びレジスタＲ１を有する。既に述べたように、同期バイトＳ０、特に同期バイトＳ０の立上り端が同期の目的に使用される。その立上り端はＤフリップフロップＤ１のクロック入力ＣＬＫに印加される。ＤフリップフロップＤ１の入力Ｄはデータシンボル１に相当する一定の電圧に接続され、かつクリア入力ＣＬはＭＰＵによって図面の下部に示されたマイクロプロセッサ１３の接続端子に接続されている。クリア入力ＣＬを介して消去されるのはＤフリップフロップＤ１の内容のみでなく、マイクロプロセッサＭＰＵからの信号はクリア入力ＣＬを介してバッファ８への書き込みの開始及び停止する書き込みポインタの開始及び停止のために使用される。書込みポインタは以下に詳細に説明される。ＤフリップフロップＤ１の出力
【数１】
0003900547.tif 000002
はＯＲゲートＧ１の入力に接続され、他の入力にはデータストローブＤａｔａ  Ｓｔｒｏｂｅが供給される。ストローブＤａｔａ  Ｓｔｒｏｂｅは並列に現れる同期バイトＳ０毎に割り当てられる。
【００３３】
図２で幅広の線によって表されている、同期バイトＳ０及びストローブデータＤａｔａ  Ｓｔｒｏｂｅのパルスの立上り端によって示されるように、その立上り端は第１のカウンタＺ１のクロック入力ＣｌｏｃｋにゲートＧ１の出力から送出される信号の臨界部分を形成する。ＯＲゲートＧ１の出力信号は接続された第１のカウンタＺ１におけるカウントするクロックパルスを形成する。カウンタＺ１のクロッキング又はカウントは正のＳ０端で可能になりＤフリップフロップＤ１でＭＰＵから次のようにイネーブルされる。正のＳ０端は、クリア入力ＣＬが同時にイネーブルであれば、
【数２】
0003900547.tif 000003
出力をゼロに設定する。オアゲートＧ１の第２入力にオーディオフレームの間に３２回現れるデータストローブの正のエッジの結果として、正のクロックエッジＣｌｏｃｋがオアゲートＧ１の出力つまり第１カウンタＺ１のクロック入力に発生する。
【００３４】
もしＤフリップフロップＤ１のクリア入力ＣＬがデイスエーブルにセットされるならば、一定１のレベルが出力
【数３】
0003900547.tif 000004
で現れる。この結果として、データストローブのエッジはＯＲゲートＧ１の出力にクロックパルスＣｌｏｃｋを発生しない。出力
【数４】
0003900547.tif 000005
での定数１はＯＲゲートＧ１の出力信号が絶えず１であることを意味するからである。
【００３５】
もしＤフリップフロップＤ１のクリア入力ＣＬが再度イネーブルにセットされるならば、ＤフリップフロップＤ１の出力
【数５】
0003900547.tif 000006
は次の立上りＳ０端によって再度０にセットされ、その結果カウントが次のデータストローブによって再開される。この第１のカウンタＺ１は好ましくは５ビットカウンタである。オーディオフレーム又はオーディオ信号のフレームは３２バイトを有するので、５ビットで３２個の状態を個別する必要があり、ＣＤプレーヤにおける特別な設計の結果である。５ビットのカウンタＺ１のＣａｒｒｙと示されるキャリー（桁上げ）はオーディオフレームにおけるクロックパルスを得るために使用される。
【００３６】
その結果として第１のカウンタＺ１はオーディオフレームの各バイト毎にクロックパルスを供給する。そのクロックパルスは第２のカウンタＺ２のクロック入力Ｃｌｏｃｋに送出される。第２のカウンタＺ２は好ましくは１５ビットカウンタであり、キャリーＣａｒｒｙからのクロックパルスが３２バイト毎に送出される。
【００３７】
その結果として、第２のカウンタＺ２は格納されたフレーム又はオーディオフレームをカウントする。この１５ビットのカウンタＺ２は、アドレスレジスタとして使用され、かつ第２のカウンタＺ２のプリセットＰｒｅｓｅｔを可能とするレジスタＲ１に接続されている。１５ビットカウンタＺ２の開始アドレスのプリセットＰｒｅｓｅｔはＭＰＵのロードによって及びマイクロプロセッサＭＰＵのデータバスを介して直接に第２のカウンタＺ２の中にロードされる。レジスタＲ１は最後のＳ０のバッファアドレスを読出すために使用される。
【００３８】
プリセットＰｒｅｓｅｔはバッファに書込み動作を開始するために使用され得る最小のユニットを形成する。従って、開始は常に最小のユニットとしてオーディオフレームをもって可能になる。９８個のオーディオフレームの合計がサブコードを形成する。同期バイトＳ０は同期のための開始ポイントとして使用される。第２のカウンタＺ２は同期のために次の同期バイトＳ０，Ｓ１でアドレスをプリセットされ、そして同期バイトＳ０が生じるときに、クロックパルスが第２のカウンタＺ２に通してシフトされ、マイクロプロセッサＭＰＵからロードされたアドレスでバッファへの書込みを再開する。
【００３９】
２つの同期バイトＳ０の間の間隔はサブコードに相当する。その結果７５Ｈｚでの同期又は１秒の１／７５あるいは１３．３ミリ秒の間隔の同期が可能となる。マイクロプロセッサＭＰＵがこの間隔の間のオーディオデータが有効か無効か及びこのアドレスのみが有用かをこの間隔の間に評価するので、この間隔は必要である。しかしながら、データ比較に関係して提供される時間ばかりでなく、同期の成功のためのアドレシングのための絶対的保証を形成するので、この場合１３．３ミリ秒は大変短い同期時間としてみなされる。
【００４０】
図２にはＡＮＤゲートＧ２が示され、マイクロプロセッサＭＰＵによって強制的に初期化されたリセットを次のオーディオフレームと同期させる。カウンタＺ１，Ｚ２は誤りの結果又は完全なる再開の場合初期的に０にセットされ、このために、ゲートＧ２の、ＭＰＵからＲｅｓｅｔとして示される入力は１にセットされ、第１のカウンタＺ１及び第２のカウンタＺ２はこれらの各々リセット入力Ｒｅｓｅｔを介してゲートＧ２の次のフレームストローブ入力Ｎｅｘｔ  Ｆｒａｍｅ  Ｓｔｒｏｂｅによって０にセットされる。
【００４１】
その結果、ゲートＧ２の、ＭＰＵからＲｅｓｅｔとして示される入力が再度０にセットされるまで書込みアドレスは００にセットされる。開始はＭＰＵからＲｅｓｅｔとして示される入力を０にセットすることで行われる。完全な再開の場合には、第２のカウンタＺ２はリセットに加えてプリセット入力Ｐｒｅｓｅｔを介して００にセットされる。バッファはアドレス００で開始する。衝撃の場合、ＭＰＵからのデイスエーブル信号がＤフリップフロップＤ１のクリア入力ＣＬに供給され、その結果書込みポインタは停止される。
【００４２】
そして、新しいアドレスが入力ＬｏａｄとＰｒｅｓｅｔを介して第２のカウンタＺ２の中にロードされ、ＭＰＵからのイネーブル信号が最後にＤフリップフロップＤ１のクリア入力ＣＬに再度供給される。この場合、中断前の最後の有効なアドレスは新しいアドレス値としてロードされる。
【００４３】
説明のために、例えばランダムな数をとるサブコード１０がちょうど受信され、そして衝撃が発生したと仮定する。正確なサブコード１０が受信されたという事実の結果として、レジスタＲ１は同期バイトＳ０の格納されていた最後の有効なアドレスを表わすものとして読出される。その結果、同期バイトＳ０と対応するサブコード１０の最後の有効なアドレスつまりディスク上の対応する時間情報が知られる。この場合において、バッファのアドレスは記録媒体上の絶対時間情報と無関係であり、該情報はサブコード情報に格納され、同期のために付加的に格納されない。
【００４４】
衝撃の後、同じサブコード１０又は衝撃の前のサブコードに復帰するために戻りジャンプの試みがなされる。スキャナ装置を適応するために、サブコード情報を周知の方法で使用する。しかし、これはバッファ８のアドレスにはアドレスの点で対応しないので直接に使用され得ない。バッファ８を通しての情報の流れのために、サブコードアドレスはバッファでのアドレスに無関係である。
【００４５】
にもかかわらず、同期のためにサブコードにオリエンテーションの試みがなされ、バッファ８での同期のための関連アドレスを決定するために前記サブコードの有効性のみを使用する。最後の有効なサブコードを使用してバッファ８の先行の読出しアドレスがプリセット入力Ｐｒｅｓｅｔを介して第２のカウンタＺ２にレジスタＲ１から再度プリセットされ、かつＤフリップフロップＤ１のクリア入力はＭＰＵによってイネーブルにセットされる。これは次の同期バイトＳ０により、衝撃がどこで発生したかを知ることを意味し、そのときスタートする次の同期バイトはプリセットとして第２のカウンタＺ２に書込まれたアドレスで再度行われる。
【００４６】
第２のカウンタＺ２の出力カウンタ出力はバッファにバス制御器Ｂｕｓ  Ｃｏｎｔｒｏｌｌｅｒを介して書込みポインタを供給する。２０ビットメモリ書込みポインタとして、書込みポインタは第１のカウンタＺ１の５ビット及び第２のカウンタＺ２の１５ビットからなる。バッファＢｕｆｆｅｒはこの書込みポインタによって充填されあるいは書込まれる。そしてバス制御器は書込みポインタ及び読出しポインタをバッファのアドレスを設定するために交互に切換える。読み出しポインタは好ましくは２０ビットのメモリ読出しポインタとして設計される。実際のデータは入力データＤａｔａを介してバッファに記憶として送出される。
【００４７】
対応するデータの形態は図４に示すような同期のデータタイムチャートを使用して表わされる。誤り訂正前のデータ符号は最上部に表わされ、３２個の連続する符号として生じている。それらはオーディオデータの２４バイト及び誤り訂正データの８バイトである。各バイトにおけるデータストローブは次の下部に示されて、オーディオフレームにおける３２バイト毎の次のフレームストローブは更に次の下部に示されている。最下部に示される同期バイトＳ０は１秒の１／７５の間隔で生じ、つまり、９８個のオーディオフレームの間隔で生じる。その結果、同期バイトＳ０は９８×３２バイト毎に一度表われる。同期バイトＳ０の長さはこの場合重要でなく、図２に示すように、同期バイトＳ０の立上り端のみが制御のために重要である。同期に関する前述の説明はＣＤの形式の情報媒体１に言及しているが、発明の分野はこれに限られていない。なぜなら例えばディジタルビデオディスク又はディジタルテープを含む全てのディジタルラッチ及び情報媒体は比較的に類似したデータ構成を有するからである。その結果、発明は磁気又は機械的のスキャナ装置に関係することが可能であり、テープの形式での情報媒体及び二次元情報媒体に関係することが可能である。
【００４８】
ディジタルオーディオ情報を供給するＥＦＭ復号化器４とデインターリーブ及び誤り訂正ユニット１０の間にバッファ８を構成したので、バッファ８としてＤＲＡＭより高価でないＡＲＡＭを使用され得る。中断に続く同期を実行するために、バッファ８として部分的に不完全かもしれないＡＲＡＭ又はオーディオＲＡＭの使用は、誤り訂正ユニット１０の上流への配置によって可能となる。図１では、バッファ８はパルス成形及びＥＦＭ復調ユニット４と誤り訂正デインターリーブユニット１０の間に配置されている。バッファ８のこの配置は同期のためのアドレス情報の使用を可能にする。サブコード情報に含まれるアドレス情報は大きな間隔でしか生じず、かつ読出し速度は時間的に変化するが、前記アドレス情報はバッファ８に基づいて時間ベースの補償関数として使用され得る。
【００４９】
更なる特徴は再生装置をスタートした後再生のためにデータをすぐ利用できることである。耐震性再生装置がスタートすると、通常又は第１の読出し速度Ｖ１に相当する通常の速度が達せられると情報媒体１からのデータは再生のためにバッファ８又は１６で利用でき、かつ周知の再生装置の二倍の読出し速度に加速されるまで再生が遅延されることはない。その結果更なる効果としては短いアクセス時間が達成される。
【図面の簡単な説明】
【図１】  同期を有する耐震性再生装置の構成を示すブロック図である。
【図２】  同期を制御する耐震性再生装置の制御アセンブリを示すブロック図である。
【図３】  周知の耐震性再生装置の構成を示すブロック図である。
【図４】  同期に関するタイムチャートである。
【符号の説明】
１  記録媒体
５  ＰＬＬ
８，１６  バッファ
１０  誤り訂正ユニット
１１，１５  符号化器
１２  ディジタル／アナログ変換器
１３  マイクロプロセッサ
１４  再生装置
１７  制御ユニット
【図１】
0003900547.tif 000007
【図２】
0003900547.tif 000008
【図３】
0003900547.tif 000009
【図４】
0003900547.tif 000010